(57)【要約】【課題】  本発明の課題は、運転席の上方を覆うサンバイザーを簡易な構成で、安定して強固に支持できるサンバイザー支持構造を備えたコンバインを提供する。【解決手段】  本発明は、運転席（６）の左側に配置された脱穀装置（３）の運転席（６）側における脱穀機体（７）から上方へ垂直状に突設する縦向き部材（１１Ａ）と、該縦向き部材（１１Ａ）の上部から運転席（６）側に向けて横方向に延出される横向き部材（１１Ｂ）とを備えた支柱（１１）を立設し、該支柱（１１）の横向き部材（１１Ｂ）には運転席の上方を覆うサンバイザー（１２）を支持する支持フレーム（１３，１３）の下部を支持する。【選択図】      図３
2016119855.tif 000002
【特許請求の範囲】
【請求項１】
運転席（６）の左側に配置された脱穀装置（３）の運転席（６）側における脱穀機体（７）から上方へ垂直状に突設する縦向き部材（１１Ａ）と、該縦向き部材（１１Ａ）の上部から運転席（６）側に向けて横方向に延出される横向き部材（１１Ｂ）とを備えた支柱（１１）を立設し、該支柱（１１）の横向き部材（１１Ｂ）には運転席の上方を覆うサンバイザー（１２）を支持する支持フレーム（１３，１３）の下部を支持してあることを特徴とするコンバイン。
【請求項２】
前記サンバイザー（１２）は、該サンバイザー（１２）の左右方向での中心位置（Ｃ１）が正面視において運転席（６）の左右方向での中心位置（Ｃ２）よりも機体内側に位置するように配置してある請求項１に記載のコンバイン。
【請求項３】
前記支柱（１１）の縦向き部材（１１Ａ）は、機体上に収納された状態の排出オーガ（８）を受けるオーガ受け具（９）の受座（１０）と共に脱穀機体（７）に固定部材（１６）で固定してある請求項１または請求項２に記載のコンバイン。
【請求項４】
前記支柱（１１）の上部は、支持ステー（１４）を介して一番揚穀筒（１５）に連結してある請求項１から請求項３のいずれか一項に記載のコンバイン。
【発明の詳細な説明】
【技術分野】
【０００１】
この発明は、サンバイザーを備えたコンバインに関する。
【背景技術】
【０００２】
従来、昇降及び旋回自在な籾排出オーガに運転席の上方を覆うサンバイザーを支持させたり（特許文献１参照）、運転席と後側のグレンタンクとの間に原動フレームから正面視アーチ型の支柱を立設し、アーチ型支柱上端の横桟には平行リンクを介してサンバイザーを支持させた構成のもの（特許文献２参照）が知られている。
【先行技術文献】
【特許文献】
【０００３】
【特許文献１】特開平１１−５６０７７号公報
【特許文献２】特開２０１３−１１１０５２号公報
【発明の概要】
【発明が解決しようとする課題】
【０００４】
上記特許文献１に記載の技術では、サンバイザーの支持剛性が低いという問題があり、特許文献２に記載の技術では、サンバイザーの支柱によって運転席周辺のスペースが狭まり、運転席に着座した作業者の乗車姿勢が制約されるという問題がある。そこで、本発明は、運転席周辺のスペースを確保しつつ、運転席の上方を覆うサンバイザーを簡易な構成で、安定して支持できるサンバイザー支持構造を備えたコンバインを提供することを課題とする。
【課題を解決するための手段】
【０００５】
この発明は、上記課題を解決すべく次のような技術的手段を講じた。
【０００６】
すなわち、請求項１に記載の発明は、運転席（６）の左側に配置された脱穀装置（３）の運転席（６）側における脱穀機体（７）から上方へ垂直状に突設する縦向き部材（１１Ａ）と、該縦向き部材（１１Ａ）の上部から運転席（６）側に向けて横方向に延出される横向き部材（１１Ｂ）とを備えた支柱（１１）を立設し、該支柱（１１）の横向き部材（１１Ｂ）には運転席の上方を覆うサンバイザー（１２）を支持する支持フレーム（１３，１３）の下部を支持してあることを特徴とするコンバインとする。
【０００７】
請求項２に記載の発明は、前記サンバイザー（１２）は、該サンバイザー（１２）の左右方向での中心位置（Ｃ１）が正面視において運転席（６）の左右方向での中心位置（Ｃ２）よりも機体内側に位置するように配置してある請求項１に記載のコンバインとする。
【０００８】
請求項３に記載の発明は、前記支柱（１１）の縦向き部材（１１Ａ）は、機体上に収納された状態の排出オーガ（８）を受けるオーガ受け具（９）の受座（１０）と共に脱穀機体（７）に固定部材（１６）で固定してある請求項１または請求項２に記載のコンバインとする。
【０００９】
請求項４に記載の発明は、前記支柱（１１）の上部は、支持ステー（１４）を介して一番揚穀筒（１５）に連結してある請求項１から請求項３のいずれか一項に記載のコンバインとする。
【発明の効果】
【００１０】
請求項１に記載の発明によれば、縦向き部材（１１Ａ）と横向き部材（１１Ｂ）からなる支柱（１１）は、運転席（６）周辺の操作スペースを確保しつつ、サンバイザー（１２）を簡単な構成で支持することができ、サンバイザー（１２）の設置を容易に行うことができる。また、支柱（１１）を、脱穀機体（７）を利用して支持するため、サンバイザー（１２）を強固に支持できる。
【００１１】
請求項２に記載の発明によれば、請求項１に記載の発明による効果に加えて、サンバイザー（１２）の中心位置が運転席（６）の中心位置より内側に偏移しているため、路上走行時にサンバイザーの右端側が機体外側よりはみ出ることがなく、サンバイザーの屋根の大きさが規制されることを回避できる。また、サンバイザーの重力が横向き部材（１１Ｂ）の自由端側ではなく、縦向き部材（１１Ａ）側寄りにかかることになり、強度確保が有利にできる。
【００１２】
請求項３に記載の発明によれば、請求項１または請求項２に記載の発明による効果に加えて、支柱（１１）を、オーガ受け具（９）と共に脱穀機体（７）に固定しているので、支柱（１１）を強固に保持することができ、オーガ受け具（９）と支柱（１１）の支持構造を簡素化することができる。
【００１３】
請求項４に記載の発明によれば、請求項１から請求項３のいずれか一項に記載の発明による効果に加えて、支柱（１１）の上部が支持ステー（１４）を介して一番揚穀筒（１５）に連結されているため、支柱の剛性を確保して強固に保持することができる。
【図面の簡単な説明】
【００１４】
【図１】コンバインの側面図
【図２】同上要部の側面図
【図３】コンバインの正面図
【図４】コンバインの要部の平面図
【図５】同上要部の平面図
【図６】サンバイザー支柱とオーガ受け具の取付状態を示す正面図
【発明を実施するための形態】
【００１５】
この発明の実施例を図面に基づき説明する。
【００１６】
図１は、コンバインの側面図を示すものであり、この走行車体１には、左右一対の走行クローラ２，２を備え、後部の左側に搭載した脱穀装置（脱穀部）３の前方部に刈取部４を設置し，刈取部４の右横側部後側に操縦部を備えた操作ボックス５が設置され、該操作ボックスの後側で脱穀部３の右側には運転席６が配置され、更に、その運転席６の後方には脱穀粒を一時的に貯留するグレンタンクＧが搭載されている。８はグレンタンク内の穀粒を機外に取り出す排出オーガで、不使用時には脱穀部３の右側の機体７上面に装着されたオーガ受け具９上に収納保持されるようになっている。なお、グレンタンクＧは、金属製の下部タンクと、合成樹脂製の上部タンクから構成されている。下部タンクは、グレンタンクＧ内の穀粒を排出オーガ８へ向けて送り出す搬送螺旋と、この搬送螺旋へ穀粒を案内する金属樋を有する。また、上部タンクは、下側が開口した容器であり、上部タンクの下部が下部タンクの金属樋にはめ込まれることで、上部タンクと下部タンクの内部に穀粒収容空間が形成される。
【００１７】
脱穀装置３の運転席６側における脱穀機体７上には、これより上方へ垂直状に突設する縦向き部材１１Ａと、該縦向き部材１１Ａの上端から運転席６側に向けて横方向に延出する横向き部材１１Ｂとからなる正面視略逆Ｌ字型の支柱１１を立設している。該支柱１１は丸パイプで構成し、Ｌ字型に折り曲げ形成した構成になっている。
【００１８】
前記支柱１１の横向き部材１１Ｂは、運転席６背部側上方に高く位置してあり、そして、この横向き部材１１Ｂには運転席６の上方を覆うサンバイザー１２を装着支持する左右に平行な支持フレーム１３，１３を上下回動固定自在に架設している。支持フレーム１３，１３は、横向き部材１１Ｂに対し、前後に起伏回動固定自在に装着してあり、支持フレームを起立させると、サンバイザー１２が運転席６の上方を覆う姿勢となり、前側に支持フレーム１３，１３を倒すと収納姿勢(図１及び図２の仮想線の状態)となるように構成している。
【００１９】
縦向き部材１１Ａの基部は、これと一体に設けた取付座板１１Ｃを脱穀機体７上面に固着するにあたって、前記オーガ受け具９の受座１０と締付ボルト（固定部材）１６を介して一体的に締付固定（図６に示す実施例では共締め）しておくと強固に支持固定することができる。
【００２０】
この様に、脱穀機体７を利用して支柱７を支持するので、樹脂製のグレンタンクＧを搭載したコンバインにおいても、サンバイザー１２を安定して支持することができる。
【００２１】
また、横向き部材１１Ｂの左右方向中間部は、支持ステー１４を介して一番揚穀筒１５に連結保持させることによって縦向き部材をより安定よく強固に保持することができる。支持ステー１４は、横向き部材１１Ｂにおける左側の支持フレーム１３との連結部位の近傍を支持している。
【００２２】
サンバイザー１２は、操作ボックス５と運転席６の上方を覆う平面視略四角形で、支持フレーム１３の上端部に角度調整可能（運転者の座高に合わせて調整する）に装着されている。
【００２３】
また、前記サンバイザー１２は、このサンバイザー１２の中心位置Ｃ１が正面視において運転席６の中心位置Ｃ２よりも機体内側方に位置するよう配置すると共に、運転席６の側端部（右側端部）とサンバイザー１２の側端部（右側端部）が一致するか、サンバイザー１２の側端部が運転席６の側端部よりも内側（左側）に位置するように配置することで、サンバイザー１２が機体外側方へはみ出ないようにし、路上走行時の運行に支障をきたさない配置構成としている。
【００２４】
なお、サンバイザー１２の配置構成において、コンバインの進行方向に対してサンバイザー１２が平面視で排出オーガ８の旋回範囲にかからないように構成している。
【００２５】
また、サンバイザー１２の内側（裏側）を長方形状の補強枠を配置し、補強枠の後部位置から回動支点を配置し、支持フレーム１３に対するサンバイザー１２の角度が任意変更できるように構成しておくとよい。
【符号の説明】
【００２６】
４    脱穀装置
６    運転席
７    脱穀機体
８    排出オーガ
９    オーガ受け具
１０    受座  
１１    支柱
１１Ａ  縦向き部材
１１Ｂ  横向き部材
１２    サンバイザー
１３    支持フレーム
１４    支持ステー
１５    一番揚穀筒
【図１】
2016119855.tif 000003
【図２】
2016119855.tif 000004
【図３】
2016119855.tif 000005
【図４】
2016119855.tif 000006
【図５】
2016119855.tif 000007
【図６】
2016119855.tif 000008